(57)【要約】      （修正有）【課題】変圧器が不要な真空蛍光表示管ディスプレイ及びそのフィラメント駆動方法を提供する。【解決手段】一つの子信号の波形のピークがもう一つの子信号の波形のピークと相互に交錯している、二つの子信号により組成されてなる直流電圧によって、フィラメント３０１を駆動する。駆動回路を真空蛍光表示管ディスプレイ３の駆動装置、真空蛍光表示管ディスプレイ３３の制御装置３１、若しくは真空蛍光表示管ディスプレイ３のマイクロコントローラ・ユニットの集積回路に設置して、変圧器を設置する必要がない。【選択図】図３
2008165182.tif 000002
【特許請求の範囲】
【請求項１】
少なくとも一つのフィラメントを有するパネルと、
前記フィラメントの両端に電気的に接続されていて、アノード信号、グリッド信号及び直流信号を発生させるアノード／グリッド制御装置と、を備えてなる真空蛍光表示管ディスプレイであり、
前記直流信号はそれぞれに前記フィラメントの両端に伝送された二つの子信号により組成されて、一つの子信号の波形のピークはもう一つの子信号の波形のピークと相互に交錯し、
前記フィラメントは前記直流信号によって制御され、前記アノード信号と前記グリッド信号に基づいて前記パネルを点灯させることを特徴とする真空蛍光表示管ディスプレイ。
【請求項２】
前記アノード／グリッド制御装置は、真空蛍光表示管ディスプレイの駆動装置、真空蛍光表示管ディスプレイの制御装置、及び真空蛍光表示管ディスプレイのマイクロコントローラ・ユニットよりなる群から選択される一種であることを特徴とする請求項１記載の真空蛍光表示管ディスプレイ。
【請求項３】
真空蛍光表示管ディスプレイのフィラメント駆動方法であって、前記真空蛍光表示管ディスプレイはパネルとアノード／グリッド制御装置とを備えてなり、前記パネルは少なくとも一つのフィラメントを有し、前記駆動方法は、
前記アノード／グリッド制御装置はアノード信号及びグリッド信号を前記パネルに提供するステップと、
一つの子信号の波形のピークがもう一つの子信号の波形のピークと相互に交錯している、二つの子信号をそれぞれに前記フィラメントの両端に伝送するステップと、
前記二つの子信号により前記フィラメントを制御して、前記アノード信号と前記グリッド信号に基づいて前記パネルを点灯させるステップと、
を備えてなることを特徴とする駆動方法。
【発明の詳細な説明】
【技術分野】
【０００１】
この発明は真空蛍光表示管ディスプレイ及びそのフィラメント駆動方法に関し、特に直流電によりフィラメントを駆動する真空蛍光表示管ディスプレイに関する。
【背景技術】
【０００２】
真空蛍光表示管ディスプレイ（ＶＦＤ）は一般に小型の表示器に応用されて、明らかな対比のような表示を提供する。真空蛍光表示管ディスプレイの利点は高い明度、広い視角、広い操作温度範囲、及び低いコストを備えることである。
【０００３】
真空蛍光表示管ディスプレイは陰極（フィラメント）、陽極（一般的にリン光体）、及びグリッドの三つの基本電極ならなる。その真空蛍光表示管ディスプレイにおいて、グリッドは網状の金属薄膜として、陰極から発射された電荷を制御して拡散するようにする。
【０００４】
真空蛍光表示管ディスプレイにおいて、フィラメントの駆動方法はそのフィラメントのタイプにより決定される。その駆動方法は一般に二種を含んで、一つは交流電駆動方法、もう一つは直流電駆動方法である。
【０００５】
図１は従来の真空蛍光表示管ディスプレイの機能を示したブロック図である。図１において、真空蛍光表示管ディスプレイ１は主にパネル１０、アノード／グリッド制御装置１１、及び変圧器１２を備えてなる。パネル１０はさらに少なくとも一つのフィラメント１０１を有している。真空蛍光表示管ディスプレイ１において、変圧器１２は交流電をフィラメント電圧に変換して、そのフィラメント電圧によってフィラメント電圧信号を発生させて、そのフィラメント電圧信号をフィラメント１０１の両端Ｆ１、Ｆ２に伝送して、そしてフィラメント１０１を点灯する。一方、アノード／グリッド制御装置１１はアノード信号及びグリッド信号を発生させて、そのアノード信号及びグリッド信号をパネル１０に提供して、そしてそのアノード信号及びグリッド信号に基づいてパネル１０のどの点を点灯することを決定する。
【０００６】
この従来の真空蛍光表示管ディスプレイ１において、交流電によってフィラメント１０１を駆動するため、高圧の交流電をフィラメント１０１が要る低圧のフィラメント電圧（図２の波形図に示すように）に変換する変圧器１２が必要である。しかしながら、変圧器の要るこの交流電駆動方法はコストを増やすばかりでなく、真空蛍光表示管ディスプレイにある回路基板の面積も増やす傾向がある。
【発明の開示】
【発明が解決しようとする課題】
【０００７】
したがって、フィラメント駆動方法及びそのフィラメントを使用する真空蛍光表示管ディスプレイを提出する必要がある。変圧器を使用しないで、直接に直流電圧により真空蛍光表示管ディスプレイのフィラメントを駆動し、順調にパネルを点灯させることができる。
【課題を解決するための手段】
【０００８】
本発明は真空蛍光表示管ディスプレイ及びそのフィラメント駆動方法を提出した。一つの子信号の波形のピークがもう一つの子信号の波形のピークと相互に交錯している、二つの子信号により組成されてなる直流電圧によって、フィラメントを駆動する。駆動回路を真空蛍光表示管ディスプレイの駆動装置、真空蛍光表示管ディスプレイの制御装置、若しくは真空蛍光表示管ディスプレイのマイクロコントローラ・ユニットの集積回路に設置して、変圧器を設置する必要がない。
【０００９】
本発明は真空蛍光表示管ディスプレイを提出した。この真空蛍光表示管ディスプレイは、少なくとも一つのフィラメントを有するパネルと、フィラメントの両端に電気的に接続されていて、アノード信号、グリッド信号及び直流信号を発生させるアノード／グリッド制御装置とを備えてなる真空蛍光表示管ディスプレイである。その直流信号はそれぞれにそのフィラメントの両端に伝送された二つの子信号により組成されて、一つの子信号の波形のピークはもう一つの子信号の波形のピークと相互に交錯し、フィラメントは直流信号によって制御され、アノード信号とグリッド信号に基づいてパネルを点灯させることを特徴とする。
【００１０】
本発明は真空蛍光表示管ディスプレイのフィラメント駆動方法を提出した。その真空蛍光表示管ディスプレイはパネルとアノード／グリッド制御装置とを備えてなり、パネルは少なくとも一つのフィラメントを有している。駆動方法は、アノード／グリッド制御装置はアノード信号及びグリッド信号をそのパネルに提供するステップと、一つの子信号の波形のピークがもう一つの子信号の波形のピークと相互に交錯している、二つの子信号をそれぞれにフィラメントの両端に伝送するステップと、二つの子信号によりフィラメントを制御して、アノード信号とグリッド信号に基づいてパネルを点灯させるステップとを備えてなることを特徴とする。
【発明の効果】
【００１１】
この発明の真空蛍光表示管ディスプレイ及びそのフィラメント駆動方法によって、変圧器を使用することなく、直接に直流電圧により真空蛍光表示管ディスプレイのフィラメントを駆動し、順調にパネルを点灯させることができる。コストを減らすばかりでなく、真空蛍光表示管ディスプレイにある回路基板の面積も減らす利点もある。
【発明を実施するための最良の形態】
【００１２】
図３は本発明の真空蛍光表示管ディスプレイの機能を示したブロック図である。図３において、真空蛍光表示管ディスプレイ３は主にパネル３０及びアノード／グリッド制御装置３１を備えてなる。パネル３０はさらに少なくとも一つのフィラメント３０１を有している。アノード／グリッド制御装置３１は真空蛍光表示管ディスプレイの駆動装置、真空蛍光表示管ディスプレイの制御装置、若しくは真空蛍光表示管ディスプレイのマイクロコントローラ・ユニットでもある。
【００１３】
変圧器をなくするために、本発明において、アノード／グリッド制御装置３１の二つの輸出ピンＦ１、Ｆ２を真空蛍光表示管ディスプレイ３のフィラメント３０１の両端に接続させる。次に、図４の波形図に示したように、一つの子信号の波形のピークがもう一つの子信号の波形のピークと相互に交錯している、二つの子信号をそれぞれにフィラメント３０１の両端に伝送する。そして、真空蛍光表示管ディスプレイの要るグリッド信号及びアノード信号に基づいてパネル３０を点灯させることができる。
【００１４】
真空蛍光表示管ディスプレイ３において、アノード／グリッド制御装置３１はアノード信号及びグリッド信号を発生させて、そのアノード信号及びグリッド信号をパネル３０に提供して、そしてそのアノード信号及びグリッド信号に基づいてパネル３０のどの点を点灯することを決定する。
【００１５】
本発明の提出した真空蛍光表示管ディスプレイ３のフィラメント３０１は直流信号によって駆動されること、及びフィラメント３０１を駆動した電圧は直接に真空蛍光表示管ディスプレイの駆動装置、真空蛍光表示管ディスプレイの制御装置、若しくは真空蛍光表示管ディスプレイのマイクロコントローラ・ユニットによって提供されることのために、変圧器が不要で、真空蛍光表示管ディスプレイ３のフィラメント３０１を駆動し、順調にパネルを点灯させることができる。
【図面の簡単な説明】
【００１６】
【図１】従来の真空蛍光表示管ディスプレイの機能を示したブロック図である。
【図２】図１のフィラメント両端の電圧を示した波形図である。
【図３】本発明の真空蛍光表示管ディスプレイの機能を示したブロック図である。
【図４】図３のフィラメント両端の電圧を示した波形図である。
【符号の説明】
【００１７】
１・・・真空蛍光表示管ディスプレイ    １０・・・パネル    １０１・・・フィラメント      １１・・・アノード／グリッド制御装置      １２・・・変圧器      ３・・・真空蛍光表示管ディスプレイ    ３０・・・パネル    ３０１・・・フィラメント    ３１・・・アノード／グリッド制御装置
【図１】
2008165182.tif 000003
【図２】
2008165182.tif 000004
【図３】
2008165182.tif 000005
【図４】
2008165182.tif 000006